(57)【要約】【課題】視覚で確認しなくても櫛部の位置が簡単に判り、所望の部位への頭髪処理剤の塗布を正確且つ簡便に行うことのできる頭髪処理剤塗布具を提供すること。【解決手段】本発明の頭髪処理剤塗布具１は、複数の櫛歯２２からなる櫛部２３を備えている。また、頭皮Ｓに押し付けることによって、前記櫛歯２２の先端よりも突出した前進状態から、該櫛歯２２が頭皮Ｓに接触する状態となるまで後退するガイド部材３を備えている。ガイド部材３は、弾性部材により前進方向に常時付勢されていることが好ましい。【選択図】図４
2013005822.tif 000002
【特許請求の範囲】
【請求項１】
複数の櫛歯からなる櫛部を備えた頭髪処理剤塗布具であって、
頭皮に押し付けることによって、前記櫛歯の先端よりも突出した前進状態から、該櫛歯が頭皮に接触した状態となるまで後退するガイド部材を備えている頭髪処理剤塗布具。
【請求項２】
前記ガイド部材は、弾性部材により前進方向に常時付勢されており、自然状態においては前記前進状態となっている一方、頭皮に押し付けることによって、前記弾性部材の付勢力に抗して前記ガイド部材を後退させることが可能である、請求項１記載の頭髪処理剤塗布具。
【請求項３】
前記複数の櫛歯が環状に配置された櫛歯台を有し、前記ガイド部材は、該櫛歯台における、前記複数の櫛歯に囲まれた領域から突出するように設けられている、請求項１記載の頭髪処理剤塗布具。
【請求項４】
頭髪処理剤の収容部及び該頭髪処理剤を吐出する剤吐出口を備えている、請求項１〜３の何れか１項記載の頭髪処理剤塗布具。
【発明の詳細な説明】
【技術分野】
【０００１】
本発明は、頭髪処理剤塗布具に関する。
【背景技術】
【０００２】
多数の櫛歯からなる櫛部を有する塗布具を用いて頭髪に染毛剤等の頭髪処理剤を塗布する技術が知られている。
例えば、本出願人は、櫛歯が直列した複数の櫛歯列によって両側を挟まれた中央部分から塗布液を吐出させ、該塗布液を、櫛歯列で頭髪を梳きながら頭髪に塗布できるようにした櫛歯付き塗布用具を提案している（特許文献１参照）。この櫛歯付き塗布用具によれば、櫛歯列間に塗布液を吐出させた後、櫛歯列間に塗布液を一旦保持した状態で、塗布用具を頭髪に当てることができる。
【０００３】
特許文献２には、櫛歯の先端側の側面に、容器内の流体を排出する滴下孔の開口部を設けるともに、該開口部より先端側に該開口部に近接して瘤部を形成した塗布具が記載され、特許文献３には、複数の櫛歯が直線状に配列された櫛部における櫛歯の上端に、下面が櫛歯片の中心軸心に対して直角近傍の角度をなすように形成された突片を設けることが記載されている。
【０００４】
しかし、上述した従来の頭髪処理剤塗布具によっては、自分自身で頭髪の処理を行おうとした場合に、櫛部が当たるところが確認しづらく、自己の頭髪の所望の部位のみに頭髪処理剤を塗布しようとしても、当該所望の部位に頭髪処理剤を思い通りに塗布できなかったり、処理したくない部位に頭髪処理剤を塗布してしまう場合があった。
例えば、自分の後頭部は、三面鏡でも確認し難いため、自分自身で、自己の後頭部の頭髪や後ろ髪に筋状の部分染色を綺麗に施すことは困難である。
【先行技術文献】
【特許文献】
【０００５】
【特許文献１】特開２００９−１６０２４０号公報
【特許文献２】実開平１−１５８７２９号公報
【特許文献３】特開２００１−２７５７５２号公報
【発明の概要】
【発明が解決しようとする課題】
【０００６】
本発明は、視覚で確認しなくても櫛部の位置が簡単に判り、所望の部位への頭髪処理剤の塗布を正確且つ簡便に行うことのできる頭髪処理剤塗布具に関する。
【課題を解決するための手段】
【０００７】
本発明は、複数の櫛歯からなる櫛部を備えた頭髪処理剤塗布具であって、頭皮に押し付けることによって、前記櫛歯の先端よりも突出した前進状態から、該櫛歯が頭皮に接触する状態となるまで後退するガイド部材を備えている頭髪処理剤塗布具を提供するものである。
【発明の効果】
【０００８】
本発明の頭髪処理剤塗布具は、視覚で確認しなくても櫛部の位置を的確に把握でき、所望の部位への頭髪処理剤の塗布を正確且つ簡便に行うことができる。
【図面の簡単な説明】
【０００９】
【図１】図１は、本発明の頭髪処理剤塗布具の第１実施形態を示す一部破断側面図である。
【図２】図２は、図１の頭髪処理剤塗布具の剤塗布部及びその近傍の拡大斜視図である。
【図３】図３は、図１の頭髪処理剤塗布具の剤塗布部の櫛歯台を、櫛部が突出する面側から見た平面図である。
【図４】図４は、図１の頭髪処理剤塗布具の剤塗布部及びその近傍の部分断面斜視図であり、（ａ）は、ガイド部材が頭皮に当たる直前の状態を示す図、（ｂ）は、ガイド部材が後退して櫛部が頭皮に当接した状態を示す図である。
【図５】図５は、図１の頭髪処理剤塗布具における櫛歯に囲まれた空間内に液状又は泡状の頭髪処理剤を貯留させた状態を示す斜視図である。
【図６】図６は、図１の頭髪処理剤塗布具を用いて頭髪に頭髪処理剤を塗布する様子を示す図である。
【図７】図７は、本発明の他の実施形態を示す図（図３相当図）である。
【図８】図８は、本発明の更に他の実施形態を示す図であり、図８（ａ）は、剤塗布部の側面図、図８（ｂ）は、剤塗布部を櫛歯が突出する方向から見た平面図である。
【図９】図９は、本発明の更に他の実施形態を示す図（図３相当図）である。
【発明を実施するための形態】
【００１０】
以下に、本発明をその好ましい実施形態に基づき図面を参照しながら説明する。
本発明の第１実施形態である頭髪処理剤塗布具１は、複数の櫛歯２２からなる櫛部２３を備えている。また、頭皮Ｓに押し付けることによって、櫛歯２２の先端よりも突出した前進状態〔図４（ａ）参照〕から、該櫛歯２２が頭皮Ｓに接触する状態〔図４（ｂ）参照〕となるまで後退するガイド部材３を備えている。
【００１１】
第１実施形態の頭髪処理剤塗布具１について、より詳細に説明する。
頭髪処理剤塗布具１は、図１に示すように、複数の櫛歯２２からなる櫛部２３を有する剤塗布部２と、頭髪処理剤の塗布作業を行う際に手に持つ部分である把持部４とを有している。また、頭髪処理剤塗布具１は、把持部４と剤塗布部２との間に延長部５を有している。延長部５は、把持部４と剤塗布部２との間に間隔を設けて、後頭部等への頭髪処理剤６の塗布作業を容易とするものである。
【００１２】
剤塗布部２は、頭髪に接触させる部分であり、頭髪を櫛部２３で梳きながら該頭髪に頭髪処理剤６を塗布可能である。
本実施形態における剤塗布部２は、図２及び図３に示すように、平面視円形状の櫛歯台２０を備えており、複数本の櫛歯２２が、該櫛歯台２０の中央部の周囲を囲むように立設されている。これらの櫛歯２２によって、櫛歯台２０上に、円筒状の櫛部２３が形成されている。
櫛部２３を構成する櫛歯２２は、相隣接する櫛歯どうし間に所定の間隔Ｐを設けて、平面視略円形の環状に配置されている。櫛歯２２及び櫛歯台２０は、合成樹脂により一体成形されている。櫛歯２２は、嵌合、融着、接着又はこれらの組み合わせ等によって櫛歯台２０に固定されていても良い。
【００１３】
本実施形態の頭髪処理剤塗布具１は、図１に示すように、頭髪処理剤６を収容する容器部４０を備えており、前記把持部４は該容器部４０の一部からなる。容器部４０は、内部に収容した頭髪処理剤６を剤塗布部２に供給可能であり、延長部５を形成する延長部材５０には、頭髪処理剤６を容器部４０内から剤塗布部２に供給するための剤導出路５１が形成されている。櫛歯台２０における、櫛歯２２に囲まれた中央部分には、頭髪処理剤６が吐出される剤吐出口２１が開口している。換言すれば、櫛部２３を構成する櫛歯２２は、剤吐出口２１の周囲を囲むように環状に配置されている。
【００１４】
なお、本実施形態の頭髪処理剤塗布具１は、頭髪処理剤６を収容する容器部４０を有すると共に剤塗布部２に頭髪処理剤６を吐出させる剤吐出口２１を有するものであるが、本発明の頭髪処理剤塗布具は、容器部４０や剤吐出口２１を有しないものでも良い。剤塗布部２に剤吐出口２１を有しない場合であっても、櫛歯２２で囲まれた空間２５内（以下、筒状の櫛部２３内ともいう）に、頭髪処理剤を別の容器等から直接注入等することにより、本実施形態と同様にして頭髪処理剤の塗布を行うことができる。
【００１５】
本実施形態の頭髪処理剤塗布具１は、図４に示すように、剤塗布部２に、ガイド部材３を有している。ガイド部材３は、丸棒状をなしており、剤塗布部２は、そのガイド部材３を、進退可能に支持する進退機構３０を備えている。図３、図４に示すガイド部材３は、平面状の先端面を有し、その先端面の周縁部の角が頭髪処理剤６を塗布する際、頭皮を傷つけないように丸められているものであるが、先端部が、半球状又は球状のものも好ましい。
【００１６】
ガイド部材３は、図３及び図４に示すように、櫛歯台２における、複数の櫛歯２２に囲まれた領域２０ａから、櫛歯２２の突出方向と同方向に突出するように設けられている。ガイド部材３の進退機構３０は、図４に示すように、ガイド部材３が挿通された第１及び第２の挿通孔３１，３２と、ガイド部材３を、常時、前進方向（図４中矢印Ｆ方向）に付勢するコイルバネ（弾性部材）３３とを備えている。第１の挿通孔３１は、櫛歯台２における、複数の櫛歯２２に囲まれた領域２０ａに形成されており、ガイド部材３の周囲に、前述した剤吐出口２１として機能する隙間が生じるように設けられている。第２の挿通孔３２は、延長部材５０の内面近傍に設けられており、ガイド部材３が摺動可能であるが、頭髪処理剤が漏出しない程度に、その周囲に殆ど隙間が生じないように設けられている。コイルバネ３３は、ガイド部材３が櫛歯台２から突出する方向とは逆向きに突出するように設けられた付勢体収容ケース３４内に収容されており、少なくとも、ガイド部材３が、図４（ｂ）に示すように後退した状態においては、その一端が、付勢体収容ケース３４の一端に当接し、他端が、ガイド部材３の後端を押圧する。
【００１７】
頭髪処理剤塗布具１における前記容器部４０は、図１に示すように、スクイズ可能な有底筒状の外容器４２と、外容器４２内に配置され、口部が外容器４２の円筒状の口部内面に気密に接合された内袋４３とを有する容器本体４１と、容器本体４１の口部に取り付けられる逆止弁４４付きの接続キャップ４５とからなり、外容器４２を片手で把持してその片手でスクイズすることにより、外容器４２自体又は外容器４２と内袋４３との間の空気が、内部の内袋４３を押圧し、それにより内袋４３内の頭髪処理剤６が押し出され、液導出路５１を介して剤塗布部２に供給され、剤塗布部２内の流路を通って剤吐出口２１から吐出される。剤塗布部２内の流路は、前記液導出路５１と連通した櫛歯台２０の裏面空間と、該裏面空間と櫛歯台２０の表面とを連通する、ガイド部材３の周囲の隙間とから形成されている。
【００１８】
図１に示す頭髪処理剤塗布具１においては、外容器４２の円筒状の口部に、外容器４２と内袋４３との間の空間と、外容器４２の外部とを連通する吸入孔４２ａが形成されている。そして、押圧されて変形した外容器４２が、弾性復元力により元の状態に戻るときに、容器部４０の外部の空気が、接続キャップ４５の下端と外容器４２との間に設けた隙間４２ｂ及び前記の吸入孔４２ａを通って、外容器４２と内袋４３との間に流入する。容器部４０は、このような構成を有することで、外周面を押圧して変形させる操作を繰り返すことにより、内容物である頭髪処理剤を徐徐に剤吐出口から吐出させることができる。
【００１９】
容器部４０に、このような２重構造の容器を用いることにより、内部の頭髪処理剤６の残量が減っても、容器部４０がしぼんで把持しにくくなることを防止できる。また、接続キャップ４５や、容器部４０内の空間と剤吐出口２１とを連通する液導出路５１等に逆止弁４４を設けて、剤の吐出後に空気が液導出路５１や容器部４０に逆流することを防止することにより、次回の吐出の際に、剤が出にくくなったり剤が飛び散ったりすることを防止することができる。
なお、把持部４（容器部４０の外容器４２における接続キャップ４５に覆われていない部分）から櫛部２３までの距離Ｌ（図１参照）は、後頭部等への塗布作業の容易等の観点から、４０〜２００ｍｍであることが好ましく、より好ましくは７０〜１２０ｍｍである。
【００２０】
第１実施形態の頭髪処理剤塗布具１を用いた頭髪処理剤の塗布方法の好ましい一例について説明する。
先ず、容器部４０の容器本体４１から接続キャップ４５を取り外して、容器部４０内に頭髪処理剤６を充填した後、再び接続キャップ４５を取り付ける。
そして、把持部４を片手で把持して繰り返しスクイズすることにより、容器部４００内の頭髪処理剤６を剤塗布部２に送り、剤吐出口２１から頭髪処理剤６を吐出させる。そして、図５に示すように、筒状の櫛部２３の内側に所望の量の頭髪処理剤６を溜め、その状態を維持したまま、剤塗布部２を頭部に移動させる。
そして、櫛部２３を、その先端側から頭皮Ｓに押し当てようとすると、図４（ａ）に示すように、櫛部２３が頭皮Ｓに当たるのに先立ち、ガイド部材３が頭皮Ｓに当たる。そのため、自分自身で頭髪の処理を行う者は、目視により櫛部２３の位置を確認しづらい場合であっても、当該櫛部２３の位置を的確に把握することができる。そして、その状態で、櫛部２３を更に頭皮Ｓに押し付けると、ガイド部材３が後退して、櫛部２３が、頭皮Ｓに当たり、櫛歯２２間に頭髪Ｈが挿入される。
そして、剤塗布部２を、図６に示すように、頭髪の毛先方向に向けて移動させ、櫛部２３で頭髪を梳きながら、櫛歯２２間に挿入された頭髪に対して頭髪処理剤６を塗布する。
【００２１】
第１実施形態の頭髪処理剤塗布具１によれば、このようにして、視覚で確認しなくても櫛部２３の位置を的確に把握でき、所望の部位への頭髪処理剤６の塗布を正確且つ簡便に行うことができる。
また、櫛部２３で梳きながら頭髪処理剤６を塗布可能であるため、頭髪の長い範囲に亘って、同様の幅で頭髪処理剤を塗工することも容易である。
そのため、例えば、図６に示すように、自分自身で、自己の後頭部の頭髪や後ろ髪に、筋状の部分染色を綺麗に施すことも容易である。
【００２２】
頭髪処理を行う際に、頭髪に頭髪処理剤を付着させる以前に、櫛部２３の位置を確認できるようにする観点から、ガイド部材３を頭皮Ｓ等で押す前の状態において、ガイド部材３が、櫛部２３の先端から突出する長さＬ１〔図４（ａ）参照〕は、５〜６０ｍｍであることが好ましく、より好ましくは２０〜５０ｍｍである。また、最大限後退したときのガイド部材３は、櫛部２３の先端からの突出長さが５ｍｍ以下、より好ましくは１ｍｍ以下であることが好ましく、ガイド部材３の先端の位置が、櫛部２３の先端の位置と同じか、それよりも低くなるまで後退可能であることが、更により好ましい。また、ガイド部材３は、最も突出した状態と、最も後退した状態との高低差が、好ましくは５ｍｍ以上であり、より好ましくは２０ｍｍ以上である。
【００２３】
櫛部２３及び頭髪処理剤６は、図５に示すように、櫛部２３を上方に向けて、頭髪処理剤６を吐出させたとき、あるいは櫛部２３を上方に向けて、櫛部２３の内側の空間内に頭髪処理剤６を注入したときに、筒状の櫛部２３の内側の空間内に、頭髪処理剤６を所定量貯留可能であることが好ましい。
頭髪処理剤６としては、ヘアカラー等の染毛剤、ブリーチ剤、整髪剤、育毛剤、ヘアケア剤等の各種公知の頭髪処理剤を用いることができ、そのそれぞれの組成も特に制限されない。しかし、頭部から離れた位置において、筒状の櫛部２３内に、頭髪処理剤６を吐出させたり、頭髪処理剤６を別の容器等から注入したりした後に、その剤を筒状の櫛部２３内からこぼれないようにしながら頭部まで運べるようにする観点からは、頭髪処理剤６は、ある程度の粘度を有する液状（クリーム状のものや固形分や気体分を含む液状のものを含む）のもの又は泡状のものであることが好ましい。剤吐出口２１から泡状に吐出する頭髪処理剤は、容器部４０に充填する時点で泡状のもの、容器部４０内で泡状に変化したもの、容器部４０と剤吐出口２１との間等で泡状に変化したもの等の何れであってもよい。
【００２４】
次に、本発明の第２及び第３実施形態について説明する。
第２及び第２実施形態の頭髪処理剤塗布具については、主として第１実施形態と異なる点について説明し、同様の点については説明を省略する。第２及び第３実施形態について、特に説明しない点については、第１実施形態について上述した説明（より好ましい構成の説明等も含む）が適宜適用される。
【００２５】
第２実施形態（図７参照）の頭髪処理剤塗布具における剤塗布部２Ａにおいては、ガイド部材３が、平面視円形の櫛歯台２０の周囲に、該櫛歯台２０に近接させて複数本（図示例は３本）設けられている。ガイド部材３は、それぞれ、第１実施形態と同様に、コイルバネ等の弾性部材により常時、前進方向に付勢されている。また、頭皮Ｓに押し付けることにより、ガイド部材３を、その先端が、櫛歯２２の先端位置と略同じ位置又はそれより低い位置となるまで後退させることができる。剤塗布部２Ａの櫛歯台２０の中央部には、ガイド部材３が挿通されていない剤吐出口２１が開口している。
【００２６】
第３実施形態（図８参照）の頭髪処理剤塗布具における剤塗布部２Ｂにおいては、直列に配置された複数本の櫛歯２２からなる櫛部２３Ｂの前後にガイド部材３が設けられている。第３実施形態における剤塗布部２Ｂにおけるガイド部材３も、第１実施形態と同様に、コイルバネ等の弾性部材により常時、前進方向に付勢されている。また、頭皮Ｓに押し付けることにより、ガイド部材３を、その先端が、櫛歯２２の先端位置と略同じ位置又はそれより低い位置となるまで後退させることができる。
また、第３実施形態における剤塗布部２Ｂは、縦長の櫛歯台２０Ｂを有し、櫛歯台２０Ｂの長手方向における、櫛歯２２どうし間に剤吐出口２１が開口している。
【００２７】
第２及び第３実施形態の頭髪処理剤塗布具によれば、第１実施形態と同様の作用効果が奏し得られる。また、第２及び第３実施形態によれば、複数のガイド部材３の存在により、視覚で確認しなくても櫛部２３の大きさや頭髪処理剤の塗布幅（仕上がり幅）も容易に把握することができる。
【００２８】
以上、本発明の好ましい実施形態について説明したが、本発明は、上述した実施形態に制限されず、本発明の趣旨を逸脱しない範囲で種々変更が可能である。
【００２９】
例えば、櫛歯は、円形ライン２４上に配列するのに代えて、楕円形状のライン上に配列していても良いし、六角形等の多角形状のライン上に配列していても良い。
また、第１実施形態における櫛歯２２は、一つの円形ライン２４上に配列していたが、図９に示すように、環状に並ぶ複数本の櫛歯を周方向の一つ置き又は二つおきに、櫛部２３の中心軸Ｃからの距離がやや異なる別の円形ライン２４’上に配することもできる。図９には、複数本の櫛歯２２を周方向の一つ置きに、円形ライン２４とは別の円形ライン２４’上に配した櫛歯台２０Ｃを示した。
櫛歯２２を、円形ライン２４上に配列する場合、櫛歯２２の基端部の断面中心が通る円状ライン２４の内径Ｌ４（図３参照）は、例えば、５〜３０ｍｍとすることが好ましい。
【００３０】
また、第１の実施形態では、第１の挿通孔３１に、ガイド部材３を貫通させてあったが、第１の挿通孔３１は、剤吐出口２１とする貫通孔とは別の位置に設けることができる。
コイルバネ等の弾性部材は、ガイド部材の後端より前方に配して、伸びた状態から収縮した状態へと戻ろうとする収縮力を利用して、ガイド部材を、前進方向に常時付勢された状態とすることもできる。また、弾性部材としては、コイルバネに代えて、弾性材料を用いた蛇腹（ベローズ）、弾性材料を用いたひも（ゴムひも等）、板バネ等を用いることもできる。
【００３１】
また、櫛歯２２は、図示例では、断面円形の棒状であるが、断面円形の櫛歯に代えて、断面半円形、断面三角形、断面正方形、断面台形等の任意の断面形状の櫛歯を設けることもできる。また、ガイド部材も、図示例では、断面円形の棒状であるが、それに代えて、断面半円形、断面三角形、断面正方形、断面台形等の任意の断面形状のガイド部材を設けることもできる。また、ガイド部材は、複数の櫛歯が環状に配置された櫛歯台における、櫛歯が突出する平面と同一平面から突出していても良いし、櫛歯が突出する平面との間に段差を有する部位から突出していても良い。
【００３２】
また、容器部は、２重構造を有しないものであっても良いし、また、押し潰したり、巻き上げたりして内容物を押し出し可能なチューブ容器であっても良い。また、接続キャップは逆止弁を有しないものであっても良い。また、容器部として、エアゾール容器を用いても良い。
また、前述したように、本発明の頭髪処理剤塗布具は、頭髪処理剤の収容部や剤吐出口を有しないものであっても良く、例えば、延長部５や把持部４が、中実な合成樹脂、木材、金属等から形成されているものであっても良い。
【符号の説明】
【００３３】
１  頭髪処理剤塗布具
２，２Ａ，２Ｂ  剤塗布部
２０  櫛歯台
２１  剤吐出口
２２  櫛歯
２３  櫛部
３  ガイド部材
３１  第１の挿通孔
３２  第２の挿通孔
３３  弾性部材
３４  付勢体収容ケース
４  把持部
４０  容器部
５  延長部
６  頭髪処理剤
【図１】
2013005822.tif 000003
【図２】
2013005822.tif 000004
【図３】
2013005822.tif 000005
【図４】
2013005822.tif 000006
【図５】
2013005822.tif 000007
【図６】
2013005822.tif 000008
【図７】
2013005822.tif 000009
【図８】
2013005822.tif 000010
【図９】
2013005822.tif 000011